(57)【要約】【課題】裏機構部品の破損を招いたり、島設備への設置に支障を来たしたりすることなくパチンコ機を路面や床面等に仮置きすることのできるパチンコ機の仮置き方法を提供する。【解決手段】パチンコ機の外枠前面を壁面等に立て掛けてパチンコ機を仮置きする際に、外枠１の上面から所定の距離を隔てて外枠１の裏面両側部に形成された切欠き部１２に外枠１の裏面上部に上端部を固定された短冊状弾性板１３の下端部をそれぞれ差し込み、弾性板１３を弓形に湾曲させておく。【選択図】図３
2005185484.tif 000002
【特許請求の範囲】
【請求項１】
パチンコ機の外枠前面を壁面等に立て掛けてパチンコ機を仮置きする際に、前記外枠の上面から所定の距離を隔てて前記外枠の裏面両側部に形成された切欠き部に上端部を前記外枠の裏面上部に固定された短冊状弾性板の下端部をそれぞれ差し込み、前記弾性板を弓形に湾曲させておくことを特徴とするパチンコ機の仮置き方法。
【請求項２】
前記弾性板は前記外枠の高さに対して約２／３以上の長さを有することを特徴とする請求項１記載のパチンコ機の仮置き方法。
【請求項３】
前記切欠き部は前記外枠の裏面に対して５５°〜６５°の傾斜角度を有することを特徴とする請求項１又は２記載のパチンコ機の仮置き方法。
【発明の詳細な説明】
【技術分野】
【０００１】
本発明は、パチンコ機を路面や床面等に仮置きする方法に関する。
【背景技術】
【０００２】
パチンコ遊技に使用されるパチンコ機は、図５に示すように、木製の外枠１と、この外枠１の内側に設けられた内枠２とを有しており、内枠２の裏面には、玉貯留タンク３、外部端子基盤４、玉排出装置５、排出制御回路基盤６、玉寄せカバー７、発射回路基盤８、主制御回路基盤（図示せず）等の裏機構部品が取り付けられている。なお、外枠１の前面側には額縁状の前枠９が設けられ、この前枠９の前面操作パネルには玉発射操作ノブ１０等が設けられている。
【０００３】
このようなパチンコ機を店内に設置する場合、パチンコ機を積載した運搬車輌を長時間停車させておいたり、運搬車輌に積載された多数のパチンコ機を店内に一度に搬入したりすることが困難なため、運搬車輌から積み降ろしたパチンコ機の外枠前面を壁面等に立て掛けてパチンコ機を路面や床面等に縦姿勢で仮置きする場合がある。この場合、路面等に仮置きされたパチンコ機に作業員の足や手が当ったり、地震力等が加わったりすると、仮置きされたパチンコ機が転倒し、その結果、パチンコ機の裏機構部品が破損することがある。そこで、パチンコ機の転倒による裏機構部品の破損を防止するために、図６に示すような衝撃受け部材１１を外枠１の裏面に取り付けてパチンコ機を路面や床面等に仮置きする方法が提案されている。
【発明の開示】
【発明が解決しようとする課題】
【０００４】
しかしながら、上述した方法では、パチンコ機を店内の島設備に設置する場合には衝撃受け部材１１を外枠１から取り外す必要がある。このため、衝撃受け部材１１の取り外しに多くの時間と手間を要し、島設備への設置に支承を来たすという問題があった。
本発明はこのような問題点に着目してなされたものであり、その目的は裏機構部品の破損を招いたり、島設備への設置に支障を来たしたりすることなくパチンコ機を路面や床面等に仮置きすることのできるパチンコ機の仮置き方法を提供することである。
【課題を解決するための手段】
【０００５】
上記の目的を達成するために、本発明に係るパチンコ機の仮置き方法は、パチンコ機の外枠前面を壁面等に立て掛けてパチンコ機を仮置きする際に、前記外枠の上面から所定の距離を隔てて前記外枠の裏面両側部に形成された切欠き部に上端部を前記外枠の裏面上部に固定された短冊状弾性板の下端部をそれぞれ差し込み、前記弾性板を弓形に湾曲させておくことを特徴とする。
本発明に係るパチンコ機の仮置き方法において、短冊状弾性板は外枠の高さに対して約２／３以上の長さを有することが望ましい。また、切欠き部は外枠の裏面に対して５５°〜６５°の傾斜角度を有することが望ましい。
【発明の効果】
【０００６】
本発明に係るパチンコ機の仮置き方法によれば、パチンコ機が転倒した際の衝撃力を弓形に湾曲した弾性板で受け止めることができ、パチンコ機の裏機構部品に衝撃力が直接的に加わることがないので、パチンコ機の転倒による裏機構部品の破損を防止することができる。また、弾性板の下端部を切欠き部から引き抜くと、それまで弓形に湾曲していた弾性板が元の形状に戻るので、弾性板を外枠から取り外すことなくパチンコ機を島設備に設置することができる。したがって、裏機構部品の破損を招いたり、島設備への設置に支障を来たしたりすることなくパチンコ機を路面や床面等に縦姿勢で仮置きすることができる。
【発明を実施するための最良の形態】
【０００７】
以下、本発明の実施の形態を図面に基づいて説明する。
図１〜図４は本発明に係るパチンコ機の仮置き方法の一実施形態を示す図であって、パチンコ機の外枠前面を壁面等に立て掛けてパチンコ機を路上等に縦姿勢で仮置きする場合は、図１及び図２に示すように、外枠１の裏面両側部に切欠き部１２を外枠１の上面から所定の距離（例えば４８０ｍｍ〜５３０ｍｍの距離）を隔てて形成しておくとともに、ポリカーボネイト等のプラスチックまたは金属等からなる短冊状弾性板１３を外枠１の裏面両側部に設け、これら弾性板１３の上端部をビス１４で外枠１の裏面上部に予め固定しておく。次に、弾性板１３の下端部を切欠き部１２にそれぞれ差し込み、図３に示すように、弾性板１３を弓形に湾曲させた状態でパチンコ機を路面や床面等に縦姿勢で仮置きする。
【０００８】
このように、パチンコ機の外枠前面を壁面等に立て掛けてパチンコ機を仮置きする際に、外枠１の上面から所定の距離を隔てて外枠１の裏面両側部に形成された切欠き部１２に外枠１の裏面上部に上端部を固定された短冊状弾性板１３の下端部をそれぞれ差し込み、弾性板１３を弓形に湾曲させておくことにより、図４に示すように、パチンコ機が転倒した際の衝撃力を弓形に湾曲した弾性板１３で受け止めることができ、パチンコ機の裏機構部品に衝撃力が直接的に加わることがないので、パチンコ機の転倒による裏機構部品の破損を防止することができる。また、弾性板１３の下端部を切欠き部１２から引き抜くと、図２に示すように、それまで弓形に湾曲していた弾性板１３が元の形状に戻るので、弾性板１３を外枠１から取り外すことなくパチンコ機を島設備に設置することができる。したがって、裏機構部品の破損を招いたり、島設備への設置に支障を来たしたりすることなくパチンコ機を路面や床面等に縦姿勢で仮置きすることができる。
【０００９】
なお、切欠き部１２が外枠１の上面から４８０ｍｍ〜５３０ｍｍの位置に形成されている場合には、外枠１の高さ（約８００ｍｍ）に対して弾性板１３の長さを約２／３以上、好ましくは５５０ｍｍ〜６００ｍｍとすることが望ましい。また、外枠１の裏面両側部に切欠き部１２を形成する場合には、外枠１の裏面に対する切欠き部１２の切込み角度θを５５°〜６０°程度にすると共に切込み深さｄを２０ｍｍ程度とすることが望ましい。さらに、外枠１の厚さが２５ｍｍ程度の場合には、弾性板１３の板幅を２５ｍｍ程度にすることが望ましい。また、弾性板１３の材質は特に限定されないが、弾性板１３をポリカーボネイト等のプラスチックから形成する場合には、弾性板１３の板厚を３〜５ｍｍ程度にすることが望ましい。
【図面の簡単な説明】
【００１０】
【図１】本発明の一実施形態を説明するためのパチンコ機の側面図である。
【図２】図１に示すパチンコ機の外枠の一部を示す斜視図である。
【図３】図１に示す弾性板を弓形に湾曲させてパチンコ機の外枠前面を壁面に立て掛けた状態を示す図である。
【図４】図３の状態からパチンコ機が転倒した状態を示す図である。
【図５】パチンコ機の背面図である。
【図６】従来例を示す図である。
【符号の説明】
【００１１】
１  外枠
２  内枠
３  玉貯留タンク
４  外部端子基盤
５  玉排出装置
６  排出制御回路基盤
７  玉寄せカバー
８  発射回路基盤
９  前枠
１０  玉発射操作ノブ
１２  切欠き部
１３  短冊状弾性板
【図１】
2005185484.tif 000003
【図２】
2005185484.tif 000004
【図３】
2005185484.tif 000005
【図４】
2005185484.tif 000006
【図５】
2005185484.tif 000007
【図６】
2005185484.tif 000008